(57)【要約】【課題】温度によって変化するクロストークに対処できる３Ｄ液晶表示装置を提供する。【解決手段】温度センサー１２１は、温度を計測し計測した温度を表示コントローラ１２２に出力する。表示コントローラ１２２は、３Ｄ映像処理部１１０から左目フレームまたは右目フレームの画像を交互に入力すると、水平同期信号及び垂直同期信号と同期を取りながらフレームの１ライン分毎に液晶パネル１３１に出力する。また、表示コントローラ１２２は、温度センサー１２１から温度を入力すると温度が属する温度区分を決定し、温度区分に基づいてバックライトコントローラ１２３に制御指令を出力し、３Ｄメガネコントローラ１２４にシッター開閉指令を出力する。バックライトコントローラ１２３は、制御指令によりバックライト１３２の発光駆動制御を行う。３Ｄメガネコントローラ１２４は３Ｄメガネ送信部１４０を経由して３Ｄメガネにシャッター開閉指令を送信する。【選択図】図２
2012003124.tif 000002
【特許請求の範囲】
【請求項１】
フレームシーケンシャル方式の３Ｄ液晶表示装置において、
前記３Ｄ液晶表示装置の温度を計測する温度計測手段と、
前記温度に基づいて左目映像フレームと右目映像フレームの相互切り換え後に表示をオフする期間を前記温度が高温時に対し低温時に長くなるように制御する表示制御手段と、
を備えることを特徴とする３Ｄ液晶表示装置。
【請求項２】
前記表示制御手段は、バックライトをオフする時間を制御して表示をオフする制御を行うことを特徴とする請求項１に記載の３Ｄ液晶表示装置。
【請求項３】
前記表示制御手段は、前記３Ｄ液晶表示装置が備える３Ｄメガネについてシャッター開閉時間を制御して表示をオフする制御を行うことを特徴とする請求項１または請求項２に記載の３Ｄ液晶表示装置。
【請求項４】
前記表示制御手段は、前記左目映像フレームと前記右目映像フレームの相互切り換え後に発生するクロストークの開始時に表示をオフし、クロストークの終了時に表示をオンすることを特徴とする請求項１から請求項３のいずれか１項に記載の３Ｄ液晶表示装置。
【請求項５】
３Ｄメガネは、温度に基づいて左目映像フレームと右目映像フレームの相互切り換え後に表示をオフする期間を前記温度が高温時に対し低温時に長くなるように制御するシャッター開閉信号を受信するシャッター開閉信号受信部と、
前記シャッター開閉信号に基づいてシャッターを制御するシャッター制御手段と、
を備えることを特徴とする３Ｄ液晶表示装置の３Ｄメガネ。
【請求項６】
３Ｄメガネは、３Ｄ液晶表示装置が計測した温度を受信する温度受信部と、
前記温度に基づいてシャッターをオフする期間を前記温度が高温時に対し低温時に長くなるように制御するシャッター制御手段と、
を備えることを特徴とする３Ｄ液晶表示装置の３Ｄメガネ。
【請求項７】
フレームシーケンシャル方式の３Ｄ液晶表示装置において、
前記３Ｄ液晶表示装置の温度を計測する温度計測工程と、
前記温度に基づいて左目映像フレームと右目映像フレームの相互切り換え後に表示をオフする期間を前記温度が高温時に対し低温時に長くなるように制御する表示制御工程と、
を備えることを特徴とする３Ｄ液晶表示装置の表示方法。
【発明の詳細な説明】
【技術分野】
【０００１】
本発明は、３Ｄ液晶表示装置及び３Ｄ液晶表示装置の表示方法に係り、特に左目用の映像（以下、左目映像という）と右目用の映像（以下、右目映像という）を１フレームごとに交互に表示し、そのタイミングに同期して３Ｄメガネに装備されたシャッターを開閉することで３Ｄ表示を行う方式（以下、フレームシーケンシャル方式という）の３Ｄ液晶表示装置、３Ｄメガネ、及び３Ｄ液晶表示装置の表示方法に関する。
【背景技術】
【０００２】
まず、３Ｄ液晶表示装置のフレームシーケンシャル方式における３Ｄ映像が見える仕組みについて、図５を用いて説明する。３Ｄ液晶表示装置は、左目映像フレーム（以下、左目フレームという）と右目映像フレーム（以下、右目フレームという）を図５（１）に示すように１フレーム毎に交互に表示する。また、３Ｄ液晶表示装置は、この左目フレームと右目フレームの表示に同期して図５（２）に示す３Ｄメガネに赤外光によるトリガー信号を出力する。３Ｄメガネは、このトリガー信号に基づいて３Ｄメガネの左右パネルに装備されているシャッターの開閉を行う。つまり、トリガー信号（以下、シャッター開閉信号という）に基づいてシャッターが制御されると、左目フレームが表示されているときには、３Ｄメガネの左パネルのシャッターが「開（ＯＦＦ）」となり、右パネルのシャッターは「閉（ＯＮ）」となる。同様に、右目フレームが表示されているときには、３Ｄメガネの右パネルのシャッターが「開（ＯＦＦ）」となり、左パネルのシャッターは「閉（ＯＮ）」となる。このような３Ｄメガネのシャッターの制御により、図５（３）に示すように、左目フレームが表示されているときには左目には左目映像が見え、右目フレームが表示されているときには右目に右目映像が見える。このような仕組みにより、ユーザが３Ｄメガネをかけて３Ｄ液晶表示装置に表示される映像を見ると、ユーザには立体的な３Ｄ映像に見える。
【０００３】
しかし、液晶の表示切り換わり応答速度は温度に依存するため、液晶表示装置の液晶パネルにおいて、例えば左目フレームから右目フレームへ表示が切り換わる応答速度も温度に依存する。このため、右目フレームと左目フレームが同時に表示されるクロストークが発生し、しかもクロストークが発生する時間は温度によって変化する。高温状態と低温状態におけるクロストークが発生する時間について、図６を用いて説明する。クロストークが発生している時間を示す図６のグラフにおいて、レベルは画像のレベル（切り換わり度合）を示すもので、左右フレームの切り換えが完了したときのレベルである「目標」レベルに達したときに、クロストークが解消される。つまり、この「目標」レベル値以上であればクロストークは発生していないが、「目標」レベル値より小さいときにはクロストークが発生している。図６に示すように、高温状態では表示の切り換わり応答速度が速いので「目標」レベルに到達するまでの時間「ｔａ」が短く、低温状態では表示の切り換わり応答速度が遅いので「目標」レベルに到達するまでの時間「ｔｃ」が長い。
【０００４】
図７に、理想状態、高温状態、及び低温状態における左目映像と右目映像の表示例を示す。（１）の理想状態は、左目フレームと右目フレームがｎ、ｎ＋１、ｎ＋２、ｎ＋３、・・・・・の順番でｔ０、ｔ１、ｔ２、ｔ３、ｔ４、・・・・・の時点で瞬時に切り替わることを示している。このような状態ではクロストークが発生しないため、映像は明瞭となる。（２）の高温状態は、左目フレームと右目フレームがｎ、ｎ＋１、ｎ＋２、ｎ＋３、・・・・・の順番で時間「ｔａ」の間に切り替わるので、クロストークが「ｔａ」の時間に発生することを示している。このような状態ではクロストークが発生する時間（以下、クロストーク時間という）「ｔａ」において、映像が不明瞭となる。（３）の低温状態は、左目フレームと右目フレームがｎ、ｎ＋１、ｎ＋２、ｎ＋３、・・・・・の順番で時間「ｔｃ」の間に切り替わるので、クロストークが「ｔｃ」の時間に発生することを示している。このような状態ではクロストーク時間「ｔｃ」において、映像が不明瞭となる。しかし、（２）の高温状態におけるクロストーク時間「ｔａ」と（３）の低温状態におけるのクロストーク時間「ｔｃ」を比較すると、（３）の低温状態におけるクロストーク時間「ｔｃ」の方がクロストーク時間「ｔａ」より長い。このため、例えば（２）の高温状態におけるクロストーク時間「ｔａ」の間だけ３Ｄ液晶表示装置のバックライトのオフと３Ｄメガネのシャッターの「閉（ＯＮ）」を行うと、（３）の低温状態におけるクロストーク時間「ｔｃ」に発生するクロストークのうち「ｔｃ」−「ｔａ」の時間についてはクロストークに対処することができない。
【０００５】
フレームシーケンシャル方式の３Ｄ液晶表示装置において、クロストークに対処する技術として情報サイト記事（非特許文献１）を挙げることができる。非特許文献１に開示の技術では、クロストークに対処するために同じフレームを２度書きしている。つまり、左眼用のフレームを２回書き、１回目に左眼用のフレームを書いているときにはＬＥＤバックライトをオフにし、２回目に左眼用のフレームを書いているときにはＬＥＤバックライトをオンにする。同様に、右眼用のフレームを２回書き、１回目に右眼用のフレームを書いているときにはＬＥＤバックライトをオフにし、２回目に右眼用のフレームを書いているときにはＬＥＤバックライトをオンにする。つまり前のフレームの上に新しいフレームを書いているときには、ＬＥＤバックライトをオフにすることで、クロストークの対処を行っている。
【先行技術文献】
【非特許文献】
【０００６】
【非特許文献１】Ｗｅｂマイコミジャーナル  ４倍速技術とＬＥＤバックライトでクロストークレスなフルＨＤ３Ｄを提供-ブラビア  ＜URL：http://journal.mycom.co.jp/news/2010/03/09/080/index.html＞
【発明の概要】
【発明が解決しようとする課題】
【０００７】
従来技術における３Ｄ液晶表示装置において、３Ｄ液晶表示装置の温度が高温状態と低温状態では、クロストークの生じる時間の長さが異なる。このため、３Ｄ液晶表示装置の温度が高温状態のときに対応して、ＬＥＤバックライトをオフする時間の長さが決められると、低温状態となったときにクロストーク時間が長くなり、低温状態で長くなったクロストーク期間にＬＥＤバックライトをオフすることができない。従って、このような３Ｄ液晶表示装置においては、温度により変化するクロストーク時間に対処することができない。また、非特許文献１に開示された従来技術では、２度書きするために切り換え速度が遅くなる、あるいは切り換え速度を遅くしないようにするためには２度書きの周期を短くする必要があるなどの問題がある。また、画面が暗くなるという問題もある。
【０００８】
本発明はこのような状況に鑑みてなされたものであり、上記課題を解決できる３Ｄ液晶表示装置を提供することを目的とする。
【課題を解決するための手段】
【０００９】
本発明の３Ｄ液晶表示装置は、フレームシーケンシャル方式の３Ｄ液晶表示装置において、前記３Ｄ液晶表示装置の温度を計測する温度計測手段と、前記温度に基づいて左目映像フレームと右目映像フレームの相互切り換え後に表示をオフする期間を前記温度が高温時に対し低温時に長くなるように制御する表示制御手段と、を備えることを特徴としている。
また、本発明の３Ｄ液晶表示装置の前記表示制御手段は、バックライトをオフする時間を制御して表示をオフする制御を行うことを特徴としている。
また、本発明の３Ｄ液晶表示装置の前記表示制御手段は、前記３Ｄ液晶表示装置が備える３Ｄメガネについてシャッター開閉時間を制御して表示をオフする制御を行うことを特徴としている。
また、本発明の３Ｄ液晶表示装置の前記表示制御手段は、前記左目映像フレームと前記右目映像フレームの相互切り換え後に発生するクロストークの開始時に表示をオフし、クロストークの終了時に表示をオンすることを特徴としている。
また、本発明の３Ｄ液晶表示装置の３Ｄメガネは、温度に基づいて左目映像フレームと右目映像フレームの相互切り換え後に表示をオフする期間を前記温度が高温時に対し低温時に長くなるように制御するシャッター開閉信号を受信するシャッター開閉信号受信部と、前記シャッター開閉信号に基づいてシャッターを制御するシャッター制御手段と、を備えることを特徴としている。
また、本発明の３Ｄ液晶表示装置の３Ｄメガネは、３Ｄ液晶表示装置が計測した温度を受信する温度受信部と、前記温度に基づいてシャッターをオフする期間を前記温度が高温時に対し低温時に長くなるように制御するシャッター制御手段と、を備えることを特徴としている。
また、本発明の３Ｄ液晶表示装置の表示方法は、フレームシーケンシャル方式の３Ｄ液晶表示装置において、前記３Ｄ液晶表示装置の温度を計測する温度計測工程と、前記温度に基づいて左目映像フレームと右目映像フレームの相互切り換え後に表示をオフする期間を前記温度が高温時に対し低温時に長くなるように制御する表示制御工程と、を備えることを特徴としている。
【発明の効果】
【００１０】
低温状態では液晶の応答速度が遅くなるが、本発明の３Ｄ液晶表示装置によれば、低温状態ではバックライトをオフする時間と３Ｄメガネのシャッターについて「閉（ＯＮ）」とする時間を長くすることで確実にクロストークに対処できる。また、高温状態では液晶の応答速度が速くなるが、本発明の３Ｄ液晶表示装置によれば、バックライトをオフする時間と３Ｄメガネのパネルのシャッターについて「閉（ＯＮ）」とする時間を短くすることで明るさを確保できる。
【図面の簡単な説明】
【００１１】
【図１】本発明の実施形態に係る３Ｄ液晶表示装置の機能構成を示す図である。
【図２】本発明の実施形態に係る３Ｄ液晶表示装置における制御部と表示部の機能構成を示す図である。
【図３】本発明の実施形態に係る高温状態、常温状態、及び低温状態におけるクロストークが発生している時間と、時間に対応してバックライトと３Ｄメガネのシャッターの制御を示す図である。
【図４】本発明の実施形態に係る理想状態、高温状態、及び低温状態における左目映像と右目映像の表示例と、バックライトと３Ｄメガネのシャッターの制御を示す図である。
【図５】従来技術に係る３Ｄ液晶表示装置のフレームシーケンシャル方式における３Ｄ映像が見える仕組みを説明する図である。
【図６】従来技術に係る高温状態と低温状態におけるクロストークが発生している時間を示す図である。
【図７】従来技術に係る理想状態、高温状態、及び低温状態における左目映像と右目映像の表示例を示す図である。
【発明を実施するための形態】
【００１２】
以下、本発明を実施するための形態（以下、「実施形態」という）を、図面を参照して説明する。
【００１３】
実施形態における図１に示す３Ｄ液晶表示装置１０の機能構成について説明する。３Ｄ液晶表示装置１０は、３Ｄ映像表示部１００と３Ｄメガネ部２００から構成されている。３Ｄ映像表示部１００は、３Ｄ液晶表示装置１０の液晶表示装置側に搭載される機能で、３Ｄ映像信号を入力し映像を表示すると同時に、シャッター開閉信号を３Ｄメガネ部２００に送信する部位である。３Ｄ映像表示部１００は、３Ｄ映像処理部１１０、制御部１２０、表示部１３０、及び３Ｄメガネ送信部１４０から構成されている。３Ｄメガネ部２００は、３Ｄ液晶表示装置１０のメガネ側に搭載される機能で、映像表示部１００からシャッター開閉信号を受信し、受信したシャッター開閉信号に基づいて３Ｄメガネのシャッターを制御する部位である。３Ｄメガネ部２００は、受信部２１０、シャッターコントローラ２２０、左シャッター２３０、及び右シャッター２４０から構成されている。
【００１４】
３Ｄ映像表示部１００を構成する各機能について説明する。３Ｄ映像処理部１１０は、放送電波またはブルーレイディスクなどから３Ｄ映像信号を入力すると３Ｄ映像信号を復号し、３Ｄ映像信号から左目用フレームと右目用フレームの画像を順番に抽出し、制御部１２０に出力する部位である。制御部１２０は、３Ｄ映像処理部１１０から左目用フレームと右目用フレームを入力すると、表示部１３０に制御指令を出力しながら左目用フレームと右目用フレームを交互に出力する部位である。また、制御部１２０は、表示部１３０に制御指令を出力すると同時に、３Ｄメガネ送信部１４０にシャッター開閉指令を出力する部位である。制御部１２０の詳細については、後述する。表示部１３０は、制御部１２０から制御指令、左目用フレーム、及び右目用フレームを入力し、制御指令に基づいて左目用フレームと右目用フレームを交互に表示する部位である。表示部１３０の詳細については、後述する。３Ｄメガネ送信部１４０は、制御部１２０からシャッター開閉指令を入力すると、シャッター開閉信号に変換し３Ｄメガネ部２００に送信する部位である。
【００１５】
３Ｄメガネ部２００を構成する各機能について説明する。受信部２１０は、３Ｄメガネ送信部１４０からシャッター開閉信号を受信し、シャッター開閉指令に変換しシャッターコントローラ２２０に出力する部位である。シャッターコントローラ２２０は、受信部２１０からシャッター開閉指令を入力し、シャッター開閉指令に基づいて左シャッター２３０と右シャッター２４０に対して「開（ＯＦＦ）」または「閉（ＯＮ）」の制御指令を出力する部位である。左シャッター２３０は、シャッターコントローラ２２０から「開（ＯＦＦ）」または「閉（ＯＮ）」の制御指令を入力すると、制御指令に基づいてシャッターを「開（ＯＦＦ）」または「閉（ＯＮ）」に駆動させる部位である。右シャッター２４０は、シャッターコントローラ２２０から「開（ＯＦＦ）」または「閉（ＯＮ）」の制御指令を入力すると、制御指令に基づいてシャッターを「開（ＯＦＦ）」または「閉（ＯＮ）」に駆動させる部位部位である。
【００１６】
次に、実施形態における図２に示す制御部１２０と表示部１３０の機能構成について説明する。制御部１２０は、温度センサー１２１、表示コントローラ１２２、バックライトコントローラ１２３、及び３Ｄメガネコントローラ１２４から構成されている。表示部１３０は、液晶パネル１３１、及びバックライト１３２から構成されている。温度センサー１２１は、温度を計測し、計測した温度を表示コントローラ１２２に出力する。温度センサー１２１は液晶パネル１３１の温度を計測できるように液晶パネル１３１の近傍に設けることが好ましい。表示コントローラ１２２は、３Ｄ映像処理部１１０から左目フレームまたは右目フレームの画像を交互に入力すると、水平同期信号及び垂直同期信号と同期を取りながらフレームの１ライン分毎に液晶パネル１３１に出力する。また、表示コントローラ１２２は、温度センサー１２１で計測した温度を入力すると、この温度に基づいて現在の温度が「高温」、「常温」、又は「低温」のいずれの温度区分に属するかを決定する。そして、表示コントローラ１２２は、決定した温度区分に基づいて、バックライトコントローラ１２３と３Ｄメガネコントローラ１２４に制御指令を出力する。バックライト１３２と３Ｄメガネコントローラ１２４に出力する制御指令については、後述する。バックライトコントローラ１２３は、表示コントローラ１２２からの制御指令によりバックライト１３２の発光駆動制御を行う。３Ｄメガネコントローラ１２４は、表示コントローラ１２２からの制御指令により３Ｄメガネ部２００の左右パネルに装備されているシャッターの開閉制御を行う。液晶パネル１３１は、表示コントローラ１２２から出力される画像を１ライン分ずつ入力し、上から順に表示する。バックライト１３２は、バックライトコントローラ１２３からの発光駆動制御に基づいて、バックライト１３２を「オン」または「オフ」とする。３Ｄメガネ部２００は、３Ｄメガネコントローラ１２４から３Ｄメガネ送信部１４０を経由して受信するシャッター開閉信号に基づいて、３Ｄメガネ部２００の左シャッター２３０及び右シャッター２４０の「開（ＯＦＦ）」または「閉（ＯＮ）」を行う。
【００１７】
次に、表示コントローラ１２２からバックライトコントローラ１２３と３Ｄメガネコントローラ１２４に出力する制御指令について、図３と図４を用いて説明する。図３に、高温状態、常温状態、及び低温状態におけるクロストークが発生している時間と、この時間に対応してバックライト１３２の「オフ」、及び左シャッター２３０と右シャッター２４０のシャッターの「閉（ＯＮ）」の制御を行う期間を（ａ）高温状態、（ｂ）常温状態、（ｃ）低温状態に分けて示す。また、図４に、高温状態、及び低温状態における左目映像と右目映像の表示例と、バックライト１３２、左シャッター２３０、及び右シャッター２４０の制御を示す。
【００１８】
図３に示すように、高温状態では液晶の応答速度が早いのでクロストーク時間「ｔａ」が短く、低温状態では液晶の応答速度が遅いのでクロストーク時間「ｔｃ」が長い。常温の状態では、液晶の応答速度が高温状態と低温状態の中間であるので、クロストーク時間も「ｔａ」と「ｔｃ」の中間の「ｔｂ」となる。つまり垂直同期の時間を「ｔv」とすると、高温状態ではこの垂直同期時間「ｔv」の内「ｔａ」にクロストークが発生する。同様に、常温の状態ではこの垂直同期時間「ｔv」の内「ｔｂ」にクロストークが発生し、低温状態ではこの垂直同期時間「ｔv」の内「ｔc」にクロストークが発生する。
【００１９】
なお、レベル０とレベルｄの間の「ＯＫゾーンＡ」及びレベルｕとレベル１の間の「ＯＫゾーンＢ」は、クロストークが完全には０ではないが実用上クロストークが０と見なせるゾーンである。したがってバックライト１３２のコントロールと３Ｄメガネ部２００のコントロールはレベルｄとレベルｕの間で行う。従って、表示コントローラ１２２は、高温状態ではクロストークの開始位置「ｔａs」から終了位置「ｔａe」までのクロストーク時間「ｔａ」に、バックライト１３２を「オフ」、及び左シャッター２３０と右シャッター２４０を「閉（ＯＮ）」とする制御を行うことで、クロストークが発生している画像を見えないようにすることができる。同様に、表示コントローラ１２２は、常温状態ではクロストークの開始位置「ｔbs」から終了位置「ｔbe」までのクロストーク時間「ｔb」に、バックライト１３２を「オフ」、及び左シャッター２３０と右シャッター２４０を「閉（ＯＮ）」とする制御を行うことで、クロストークが発生している画像を見えないようにすることができる。同様に、表示コントローラ１２２は、低温状態ではクロストークの開始位置「ｔcs」から終了位置「ｔce」までのクロストーク時間「ｔｃ」に、バックライト１３２を「オフ」、及び左シャッター２３０と右シャッター２４０を「閉（ＯＮ）」とする制御を行うことで、クロストークが発生している画像を見えないようにすることができる。
【００２０】
図４に示すように、（１）の理想状態は、左目フレームと右目フレームがｎ、ｎ＋１、ｎ＋２、ｎ＋３、・・・・・の順番でｔ０、ｔ１、ｔ２、ｔ３、ｔ４、・・・・・の時点で瞬時に切り替わる。このような状態ではクロストークが発生しないので、映像は明瞭になる。（２）の高温状態は、左目フレームと右目フレームがｎ、ｎ＋１、ｎ＋２、ｎ＋３、・・・・・の順番で時間「ｔａ」の間に切り替わるので、クロストークが「ｔａ」の時間に発生することを示している。（３）の低温状態は、左目フレームと右目フレームがｎ、ｎ＋１、ｎ＋２、ｎ＋３、・・・・・の順番で時間「ｔｃ」の間に切り替わることで、クロストークが「ｔｃ」の時間に発生することを示している。
【００２１】
以上のような高温状態と低温状態において、従来はクロストークに対処するために予め決められた長さの時間でバックライト１３２を「オフ」、及び３Ｄメガネ３３のシャッターについて「閉（ＯＮ）」の制御を行っていた。例えば、予め決められた長さの時間を高温状態に対応した「ｔaOFF」とすると高温状態のときには、クロストーク時間「ｔａ」に対して時間「ｔaOFF」にバックライト１３２を「オフ」、及び左シャッター２３０と右シャッター２４０を「閉（ＯＮ）」とする制御が行われていた。同様に、低温状態のときには、クロストーク時間「ｔc」に対して同じ長さの時間「ｔaOFF」でバックライト１３２を「オフ」、及び左シャッター２３０と右シャッター２４０を「閉（ＯＮ）」とする制御が行われていた。これにより（２）の高温状態のときには、クロストークに対処することができた。しかし、（３）の低温状態のときには、クロストーク時間「ｔc」に対するバックライト１３２を「オフ」、及び左シャッター２３０と右シャッター２４０を「閉（ＯＮ）」とする時間が固定されているのに対しクロストーク時間「ｔc」が長くなり、このクロストークに対処することができない。また、予め決められた時間を低温状態に対応した「ｔcOFF」とすると、（３）の低温状態のときには、クロストークに対処することができる。一方、（２）の高温状態のときには、クロストーク時間「ｔa」に対するバックライト１３２を「オフ」、及び左シャッター２３０と右シャッター２４０を「閉（ＯＮ）」とする時間が「ｔcOFF」に固定され、クロストーク時間は「ｔcOFF」より短い「ｔa」となるので、このクロストークにほぼ対処することはできるが、必要以上に「ｔcOFF」が長くなり、映像が暗くなる。
【００２２】
これに対し実施形態では、温度の変化に対応させて、バックライト１３２を「オフ」、及び左シャッター２３０と右シャッター２４０を「閉（ＯＮ）」とする時間を変更することができる。例えば、バックライト１３２を「オフ」、及び左シャッター２３０と右シャッター２４０を「閉（ＯＮ）」とする時間は、高温状態であれば開始位置「ｔas」と時間「ｔaOFF」、低温状態であれば開始位置「ｔcs」と時間「ｔcOFF」に決めておく。（２）の高温状態のときには、クロストーク時間「ｔａ」に対して時間「ｔaOFF」にバックライト１３２を「オフ」、左シャッター２３０と右シャッター２４０を「閉（ＯＮ）」とする制御が行われる。また、（３）の低温状態のときには、クロストーク時間「ｔc」に対して時間「ｔcOFF」にバックライト１３２を「オフ」、及び左シャッター２３０と右シャッター２４０を「閉（ＯＮ）」とする制御が行われる。このように制御することで、（２）の高温状態、及び（３）の低温状態に示すように、クロストークに対処することができる。更に、高温状態において必要以上に明るさを抑えることがないので、映像を明るくすることができる。
【００２３】
以上により、フレームシーケンシャル方式の３Ｄ液晶表示装置１０において、温度によって変化するクロストーク時間に対応して、バックライト１３２を「オフ」、及び左シャッター２３０と右シャッター２４０を「閉（ＯＮ）」とする制御を行う時間を変更することができる。これにより、低温状態では表示速度が遅いので、低温状態のクロストークに対応した開始位置と時間を設定することで、確実にクロストークに対処することができる。また、高温状態では液晶の応答速度が速いので、高温状態のクロストークに対応した開始位置と時間を設定することで、確実にクロストークに対処し、更に明るさを確保することができる。
【００２４】
なお、本実施形態では、温度センサー１２１を制御部１２０の内部に設ける形態としたが、液晶パネル１３１の温度が計測できるのであればどこに設けてもよい。また、本実施形態では、温度を「高温」、「常温」、及び「低温」の３段階に分けた例について説明したが、これに限定されず任意の段階に分けることも可能である。また、本実施形態では、クロストークが発生する時間にバックライト１３２を「オフ」、及び左シャッター２３０と右シャッター２４０を「閉（ＯＮ）」とする制御を行うようにしたが、バックライト１３２を「オフ」、又は左シャッター２３０と右シャッター２４０を「閉（ＯＮ）」のどちらか一方を制御することも可能である。また、本実施形態では、３Ｄ液晶表示部１００から３Ｄメガネ２００にシャッター開閉信号を送信するようにしたが、温度または温度区分の信号を直接送信し、３Ｄメガネ２００側で温度または温度区分に基づいて左シャッター２３０と右シャッター２４０の制御を行うようにすることも可能である。
【００２５】
以上、本実施形態によると、温度により変化するクロストーク時間に対処できる３Ｄ液晶表示装置を提供できる。
【００２６】
以上、本発明の実施形態をもとに説明した。この実施形態は例示であり、それらの各構成要素の組み合わせにいろいろな変形例が可能なこと、またそうした変形例も本発明の範囲にあることは当業者に理解されるところである。
【符号の説明】
【００２７】
１０・・・・・・・３Ｄ液晶表示装置
１００・・・・・・・３Ｄ映像表示部
１１０・・・・・・・３Ｄ映像処理部
１２０・・・・・・・制御部
１２１・・・・・・・温度センサー
１２２・・・・・・・表示コントローラ
１２３・・・・・・・バックライトコントローラ
１２４・・・・・・・３Ｄメガネコントローラ
１３０・・・・・・・表示部
１３１・・・・・・・液晶パネル
１３２・・・・・・・バックライト
１４０・・・・・・・３Ｄメガネ送信部
２００・・・・・・・３Ｄメガネ部
２１０・・・・・・・受信部
２２０・・・・・・・シャッターコントローラ
２３０・・・・・・・左シャッター
２４０・・・・・・・右シャッター
【図１】
2012003124.tif 000003
【図２】
2012003124.tif 000004
【図３】
2012003124.tif 000005
【図４】
2012003124.tif 000006
【図５】
2012003124.tif 000007
【図６】
2012003124.tif 000008
【図７】
2012003124.tif 000009